(57)【要約】      （修正有） 【課題】スタッドボルト及びナットによって締付固定された被締付物を取外す場合に、ナットと供回りせずに、且つ所望の一方のナットのみを緩まないよう固定することができるロック用ナットを提供する。【解決手段】スタッドボルト１１を挿通して、前記スタッドボルト１１の軸方向外方から一対の固定ナット１２ａ、１２ｂにより締付固定された被締付物１３から、前記スタッドボルト１１及び前記固定ナット１２ａ、１２ｂを取外す場合に、前記固定ナット１２ａ、１２ｂを前記スタッドボルト１１軸方向外方から締付して前記固定ナット１２ａ、１２ｂの回転動作を固定しうるロック用ナット１０であって、前記固定ナット１２ａ、１２ｂ及び前記ロック用ナット１０は、周方向の外形は多角形状に形成され、前記ロック用ナット１０の外形の最大径部は、前記固定ナット１２ａ、１２ｂの外形の最小径部よりも小さく形成されていることを特徴とする。【選択図】図１
0003197258.tif 000002
【実用新案登録請求の範囲】
【請求項１】
スタッドボルトを挿通して、前記スタッドボルトの軸方向外方から一対の固定ナットにより締付固定された被締付物から、前記スタッドボルト及び前記固定ナットを取外す場合に、前記固定ナットを前記スタッドボルト軸方向外方から締付して前記固定ナットの回転動作を固定しうるロック用ナットであって、前記固定ナット及び前記ロック用ナットは、周方向の外形は多角形状に形成され、前記ロック用ナットの外形の最大径部は、前記固定ナットの外形の最小径部よりも小さく形成されていることを特徴とするロック用ナット。
【請求項２】
前記固定ナット及び前記ロック用ナットは、径方向中央に厚さ方向に貫通され前記スタッドボルトが挿通される挿通孔部を有すると共に、前記挿通孔部の内周面には、前記スタッドボルトのネジ山に対応するネジ山が形成されており、周方向の外形は六角形状に形成された六角ナットであり、前記ロック用ナットの厚さ寸法は、前記固定ナットの厚さ寸法よりも小さい厚さ寸法に形成されていることを特徴とする請求項１に記載のロック用ナット。
【請求項３】
前記ロック用ナットの厚さ寸法は、前記固定ナットの厚さ寸法の半分に形成されていることを特徴とする請求項２に記載のロック用ナット。
【請求項４】
前記固定ナットの厚さ寸法は、前記スタッドボルトの径寸法と略同一であることを特徴とする請求項２または３の何れか１項に記載のロック用ナット。
【請求項５】
前記被締付物は、配管のフランジであることを特徴とする請求項４に記載のロック用ナット。
【考案の詳細な説明】
【技術分野】
【０００１】
本考案は、ナットを固定するためのロック用ナットに関するものである。
【背景技術】
【０００２】
一般に、粉末や液体あるいはガス等を移送するための配管は、所定の長さを有しており、長さ方向の両端部には、他の配管と接続するためのフランジが形成されている。フランジには、六角ボルトを挿通させる孔部が形成されており、２つのフランジに形成された孔部を一致させて六角ボルトを挿通し、六角ボルトの頭部とは対向する端部よりナットを回転させながら導入して締め付けることにより、２つのフランジ及び配管は締付固定される。
【０００３】
一方で、工場等において、比較的高圧の液体やガスの移送に用いる配管を締付固定する際には、ボルトとボルト穴の間から液体やガスが漏れることを防ぐために、前述のような六角ボルトではなく、長さ方向の両端にねじ部が形成されたスタッドボルトが広く用いられている。
【０００４】
スタッドボルトは、２つの配管フランジに形成された孔部を一致させて挿通させたのち、長さ方向の両端から其々、スタッドボルトに形成されているねじ山に沿ってナットを回転させながら導入してナット及びフランジを当接させ、さらに強く締め付けることにより、強固に挟持されて固定することができる。
【０００５】
一旦締付固定した一対のフランジを取外す場合においては、例えば、スパナを用いて一方のナットを保持した状態において、他方のナットをインパクトレンチにより回転させて緩めることによってスタッドボルトより取外し、一方のナットとスタッドボルトを一体に抜き取り除去することによって、取外す作業が行われている。
【０００６】
しかしながら、スタッドボルトとナットを用いて固定した場合には、一方のナットを回転させて緩める際に、意図せずに他方のナットが緩んでしまうことがある。このような場合には、希望する方向へスタッドボルトを抜き取るためには、他方のナットを締め直してもう一度同様の操作を行う等の作業が必要となる。
【０００７】
例えば、工場等の多数の配管が複雑に隣接して設置されている場合には、スタッドボルトをフランジの孔部から抜き取り除去する際に必要な空間が、フランジを介していずれか一方の面にしかないといった場合もある。このような場面において前述のような事態が発生した際には、例えば、手でスタッドボルトとナットを操作して、スタッドボルトを所望の方向より抜き取る作業を行う必要があり、スタッドボルトの抜き取り作業が煩雑となる場合があった。
【０００８】
多数のスタッドボルト及びナットについて取外しを行う作業においては、このような煩わしい作業を必要とせず、例えば、インパクトレンチのような電動工具を用いて効率よく取外しを行うことができることが望まれていた。
【０００９】
このような要望に応え得るものとしては、一方のナットの外方から隣接して別のロック用ナットを締付固定することにより、ロック用ナットによって一方のナットの回転動作を規制して緩みを防止する所謂ダブルナットという方法がある。
【００１０】
しかしながら、ロック用ナットは、フランジを直接固定するナットと隣接して配されるために、例えば、一方のナットと隣接して配した場合には、スパナで一方のナットを保持して他方のナットを緩める際に、誤って一方のナット及びロック用ナットをスパナによって同時に保持してしまうことがある。
【００１１】
このような場合には、一方のナット及びロック用ナットが供回りしてしまい、固定効果が得られないといった不具合があり、このような問題を解決しうるロック用ナットが望まれていた。
【００１２】
本考案者は、このような観点から特許調査を行い、特許文献１および特許文献２を確認したが、特許文献１の緩み止めナットは、六角形状の頭部を有する六角ボルトによって固定される際の例が記載されており、スタッドボルトを用いて固定した被締付物を取外す際に用いられることの具体的開示はなく、特許文献２のボルト及びナットにおいても同様である。
【特許文献１】公開特許第２００７−１０７７１６号公報
【特許文献２】公開特許第平１０−０７３１１８号公報
【考案の開示】
【考案が解決しようとする課題】
【００１３】
そこで、本考案は、このような従来の要請に基づくものであって、スタッドボルト及びナットによって締付固定された被締付物を取外す場合に、ナットと供回りせずに、且つ所望の一方のナットのみを緩まないよう固定することができるロック用ナットを提供することを課題とする。
【課題を解決するための手段】
【００１４】
前記課題を解決するために、請求項１に記載のロック用ナットにあっては、スタッドボルトを挿通して、前記スタッドボルトの軸方向外方から一対の固定ナットにより締付固定された被締付物から、前記スタッドボルト及び前記固定ナットを取外す場合に、前記固定ナットを前記スタッドボルト軸方向外方から締付して前記固定ナットの回転動作を固定しうるロック用ナットであって、前記固定ナット及び前記ロック用ナットは、周方向の外形は多角形状に形成され、前記ロック用ナットの外形の最大径部は、前記固定ナットの外形の最小径部よりも小さく形成されていることを特徴とする。
【００１５】
従って、請求項１に記載のロック用ナットは、スタッドボルトの軸方向外方から、一方の固定ナットに締付することによって、一方の固定ナットの回転動作を規制した状態においては、一方の固定ナット、ロック用ナット及びスタッドボルトは一体に回転動作すると共に、他方の固定ナットは別個に回転動作させることができる。
【００１６】
また、ロック用ナットの外形の最大径部は、固定ナットの外形の最小径部よりも小さく形成されていることから、例えば、ロック用ナットにより締付固定された固定ナットを平らな挟持面を持つスパナで挟持して保持する際には、スパナの挟持面がロック用ナットに当接することがない。
【００１７】
請求項２に記載のロック用ナットにあっては、前記固定ナット及び前記ロック用ナットは、径方向中央に厚さ方向に貫通され前記スタッドボルトが挿通される挿通孔部を有すると共に、前記挿通孔部の内周面には、前記スタッドボルトのネジ山に対応するネジ山が形成されており、周方向の外形は六角形状に形成された六角ナットであり、前記ロック用ナットの厚さ寸法は、前記固定ナットの厚さ寸法よりも小さい厚さ寸法に形成されていることを特徴とする。
【００１８】
請求項３に記載のロック用ナットにあっては、前記ロック用ナットの厚さ寸法は、前記固定ナットの厚さ寸法の半分に形成されていることを特徴とする。
【００１９】
従って、請求項２及び３に記載のロック用ナットは、ロック用ナットの厚さ寸法は、固定ナットの厚さ寸法よりも小さい厚さ寸法に形成されている、あるいは半分の厚さ寸法に形成されているため、例えば、固定ナットを、インパクトレンチのソケットのように深さが限定されている保持具を用いて保持する場合であっても、保持部が固定ナットに届いて保持できる。
【００２０】
請求項４に記載のロック用ナットにあっては、前記固定ナットの厚さ寸法は、前記スタッドボルトの径寸法と略同一であることを特徴とする。
【００２１】
請求項５に記載のロック用ナットにあっては、前記被締付物は、配管のフランジであることを特徴とする。
【考案の効果】
【００２２】
請求項１に記載のロック用ナットは、スタッドボルトを抜き取りたい側の固定ナットにロック用ナットを締付して固定した状態においては、一方の固定ナット、ロック用ナット及びスタッドボルトが一体に回転動作すると共に、他方の固定ナットは別個に回転動作させることができる。
【００２３】
従って、前記の状態において、他方の固定ナットをスパナで保持し、抜き取りたい側の固定ナットをインパクトレンチによって緩み方向へ回転動作させることにより、上記他方の固定ナットのみをスタッドボルトより外すことができるため、スタッドボルトを抜き取りたい側から確実に抜き取ることができ、特定の一方のみからしかスタッドボルトを抜き取ることができない狭小の作業現場であっても、効率的に取外し作業を行うことができ、作業時間を短縮できる。
【００２４】
また、例えば、ロック用ナットにより締付固定された固定ナットを平らな挟持面を持つスパナで挟持して保持する場合には、スパナの挟持面がロック用ナットに当接することがないことから、固定ナットのみを挟持することができ、固定ナットとロック用ナットの供回りを防ぐことが出来るため、より作業性が向上する。
【００２５】
請求項２及び３に記載のロック用ナットは、固定ナットを、インパクトレンチのソケットのように保持空隙部の深さが限定されている保持具を用いて保持する場合であっても、保持部が固定ナットに届いて保持できる。従って、インパクトレンチを使用できる機会を増大させることができる反面、手作業で回転動作させる機会を減少させることができ、取外し作業の作業性が向上して短時間に取外し作業を行うことができる。
【００２６】
請求項４に記載のロック用ナットは、前記固定ナットの厚さ寸法は、前記スタッドボルトの径寸法と略同一の所謂１０割ナットであり強度が高く、高圧ガス配管等に適用される。従って、請求項４に記載のロック用ナットは、高圧ガス配管等の締付固定を解除する場合にも適用することができる。
【００２７】
請求項５に記載のロック用ナットは、前記被締付物は、配管のフランジであることから、フランジを備える配管において締付固定を解除する場合にも適用することができる。
【図面の簡単な説明】
【００２８】
【図１】図１は、本考案に係るロック用ナットの一実施の形態を示し、（ａ）はフランジ部がスタッドボルトを介して固定ナットにより締付固定される場合において、ロック用ナットが装着される前の状態、（ｂ）はロック用ナットが装着された状態を夫々示した側面図である。
【図２】図２は、本考案に係るロック用ナットの一実施の形態を示し、図１（ｂ）における縦断面図である。
【図３】図３は、本考案に係るロック用ナットの一実施の形態を示し、固定ナットとロック用ナットの側面視方向における大きさの関係を示した概念図である。
【図４】図４は、本考案に係るロック用ナットの一実施の形態を示し、固定用ナットを介してフランジ部に挿通固定されたスタッドボルトをスパナとインパクトレンチを用いて、取外す過程を示した概念図である。（ａ）はスパナ及びインパクトレンチのソケットで固定ナットを把持した状態、（ｂ）は（ａ）の状態においてインパクトレンチを反時計回りに回転させた状態を夫々示している。
【考案を実施するための最良の形態】
【００２９】
以下、本考案に係るロック用ナットを実施の形態に基づき、図面を参照して詳細に説明する。
【００３０】
図１（ａ）に示すように、本考案に係るロック用ナット１０は、例えば、スタッドボルト１１に挿通され、スタッドボルト１１の軸方向外方から一対の固定ナット１２ａ，１２ｂにより締付固定された被締付物１３から、スタッドボルト１１及び固定ナット１２を取外す場合に用いられる。
【００３１】
本実施の形態においては、被締付物１３は２つの配管のフランジ１３，１３であり、固定ナット１２ａ，１２ｂの厚さ寸法は、スタッドボルト１１の径寸法と略同一である所謂１０割ナットが用いられている。本実施の形態においては、１８ｍｍである。
【００３２】
また、図１（ｂ）に示すように、ロック用ナット１０は、固定ナット１２ａ，１２ｂをスタッドボルト１１の軸方向外方から締付して固定ナット１２ａ，１２ｂがスタッドボルト１１に対して回転しないように規制することができる。本実施の形態においては、ロック用ナット１０は、一方の固定ナット１２ｂに締付固定されている。ロック用ナット１０の厚さ寸法は、固定ナット１２ａ，１２ｂの厚さ寸法の半分に形成されている。本実施の形態においては、９ｍｍである。
【００３３】
図２に示すように、２つの配管のフランジ１３，１３には、夫々スタッドボルト１１を挿通させうる孔部１４，１４が厚さ方向に貫通して形成されており、孔部１４，１４を一致させた状態において、孔部１４，１４にスタッドボルト１１が挿通されている。
【００３４】
一方で、固定ナット１２ａ，１２ｂ及びロック用ナット１０には、径方向中央に厚さ方向に貫通されスタッドボルト１１が挿通される挿通孔部１５を有すると共に、挿通孔部１５の内周面には、スタッドボルトのネジ山１６に対応するネジ山１７ａ，１７ｂが形成されている。
【００３５】
スタッドボルトのネジ山１６は、スタッドボルト１１の軸方向全域に亘って一定のピッチ及び一定の方向に形成されており、スタッドボルトのネジ山１６と固定ナット１２ａ，１２ｂ及びロック用ナット１０のネジ山１７ａ，１７ｂの関係は、固定ナット１２ｂ又はロック用ナット１０をスタッドボルト１１の軸方向に対して時計回りに回転させた場合には締め付ける作用が働き、反時計周りに回転させた場合には緩める作用が働くように形成されている。
【００３６】
図３に示すように、固定ナット１２ａ，１２ｂ及びロック用ナット１０は、周方向の外形は六角形状に形成された六角ナットであり、ロック用ナット１０の外形の最大径部Ａは、固定ナット１２ｂの外形の最小径部Ｂよりも小さく形成されている。
【００３７】
ここで、最大径部Ａは、対向する頂点における間隔寸法であり、最小径部Ｂは、対向する面の間における間隔寸法である。本実施の形態においては、ロック用ナット１０の外形の最大径部Ａは、３１ｍｍに、固定ナット１２ｂの外形の最小径部Ｂは、３０．５ｍｍに夫々形成されている。
【００３８】
以下、本考案に係るロック用ナットの作用について、図面を参照して詳細に説明する。
【００３９】
図１（ａ）に示すように、２つの配管のフランジ１３，１３が固定ナット１２ａ，１２ｂによって、スタッドボルト１１の軸方向外方より挟持し、締め付けた固定状態を解除する場合に、スタッドボルト１１を抜き取りたい側に位置する、例えば一方の固定ナット１２ｂに本考案のロック用ナット１０をスタッドボルト１１周方向において時計回りに回転させながら締付けて固定して図１（ｂ）の状態を形成する。
【００４０】
この状態においては、図２に示すように一方の固定ナット１２ｂ及びロック用ナット１０の当接面には、互いに押し合う方向に応力が発生していると共に、ネジ山１７ａ，１７ｂを介してスタッドボルトのネジ山１６には夫々、前記押し合う方向とは逆向きの応力が作用している。従って、ロック用ナット１０を締付固定することによって、一方の固定ナット１２ｂとロック用ナット１０とは、スタッドボルト１１に対して強固に固定され、一方の固定ナット１２ｂとスタッドボルト１１との間の相対回転ができない状態となる。
【００４１】
以上の作用によって、ロック用ナット１０を一方の固定ナット１２ｂに強固に締付固定した場合には、スタッドボルト１１、一方の固定ナット１２ｂ及びロック用ナット１０の夫々は、一体として動作する。
【００４２】
従って、図４（ａ）に示すように、他方の固定ナット１２ａが回転しないようにスパナの把持部１８によって保持した状態において、一方の固定ナット１２ｂに一方の固定ナット１２ｂの外周形状に適合するインパクトレンチ（図示せず）のソケット１９を被せる。
【００４３】
次に、図４（ｂ）に示すように、インパクトレンチ（図示せず）を反時計周りに回転させた場合には、インパクトレンチのソケット１９及び一方の固定ナット１２ｂ、ロック用ナット１０及びスタッドボルト１１も一体的に反時計回りに回転することにより、スタッドボルト１１と他方の固定ナット１２ａの間で緩み方向への回転が生じる。
【００４４】
さらに反時計周りに回転させることにより、スタッドボルト１１より他方の固定ナット１２ａが脱離して、スタッドボルト１１は、一方の固定ナット１２ｂ及びロック用ナット１０と一体に、抜き取ることが出来る。
【００４５】
前述のようなロック用ナット１０を一方の固定ナット１２ｂへと締付固定した状態においては、ロック用ナット１０あるいはロック用ナット１０及び一方の固定ナット１２ｂの両者を同時に、反時計回りに回転させてしまうと、互いに発生しあう応力が低下して、ロック用ナット１０、一方の固定ナット１２ｂ及びスタッドボルト１１は一体として動作せず、ロック用ナット１０の効果が得られない。
【００４６】
本実施の形態にあっては、図３に示すように、ロック用ナット１０の外形の最大径部Ａは、固定ナットの外形の最小径部Ｂよりも小さく形成されていることから、図４（ａ）に示すように、ロック用ナット１０により締付固定された一方の固定ナット１２ｂをインパクトレンチのソケット１９で保持する際には、ロック用ナット１０と一方の固定ナット１２ｂがどのような角度関係に位置していた場合であっても、スムーズにインパクトレンチのソケット１９を被せることができる。
【００４７】
その結果、インパクトレンチのソケット１９の保持面２０がロック用ナット１０の外周面に当接することがなく、一方の固定ナット１２ｂのみに回転力を伝えることができる。
【００４８】
また、ロック用ナット１０の厚さ寸法は、一方の固定ナット１２ｂの厚さ寸法の半分に形成されているため、インパクトレンチのソケット１９のように保持空隙部２１の深さに十分な余裕がない場合であっても、保持面２０を一方の固定ナット１２ｂの外周面全体に当接させることができる。
【００４９】
本考案に係るロック用ナット１０の利用場面は、前述のように締付固定状態の取外しの場合に限定されず、被締付物１３をスタッドボルト１１及び固定ナット１２ａ，１２ｂによって締付固定した状態において、所謂ダブルナットのように、ロック用ナット１０をスタッドボルト１１を介して固定ナット１２ａ，１２ｂに締付固定することにより、固定ナット１２ａ，１２ｂの経時的な緩みを防止することができるという作用も奏するため、このような利用も可能である。
【００５０】
前記実施の形態においては、スタッドボルトのネジ山１６は、スタッドボルト１１の外周面全体に亘って形成されている例を説明したが、特にこれに限定されることはなく、軸方向両端部のみにネジ山を有するスタッドボルトであっても良い。
【産業上の利用可能性】
【００５１】
本考案に係るロック用ナットは、製造販売等することによりスタッドボルトが用いられている工場等の高圧ガス配管の取外し作業に広く用いることができ、産業上利用可能性を有している。
【符号の説明】
【００５２】
１０    ロック用ナット
１１    スタッドボルト
１２ａ、１２ｂ    固定ナット
１３    被締付物（２つの配管のフランジ）
１４    孔部
１５    挿通孔部
１６    スタッドボルトのネジ山
１７ａ、１７ｂ    ネジ山
１８    スパナの把持部
１９    インパクトレンチのソケット
２０    保持面
２１    保持空隙部
【図１】
0003197258.tif 000003
【図２】
0003197258.tif 000004
【図３】
0003197258.tif 000005
【図４】
0003197258.tif 000006